(57)【要約】【課題】油汚れ等に対する洗浄力に優れ、洗浄中の泡持続性が良好であり、かつ手荒れ防止性にも優れる台所用の液体洗浄剤組成物。【解決手段】（Ａ）成分：α−オレフィンスルホン酸又はその塩と、（Ｂ）成分：アミンオキシド型界面活性剤と、（Ｃ）成分：下記一般式（ｃ１）で表される化合物と、（Ｄ）成分：前記（Ａ）成分以外のアニオン界面活性剤とを含有し、（（Ａ）成分＋（Ｄ）成分）／（Ｂ）成分で表される質量比が０．６〜１．８であり、かつ（Ａ）成分／（Ｄ）成分で表される質量比が１．５〜１３．０であることよりなる。  Ｒ１−ＣＯ−ＮＨ−ＣＨ２ＣＨ２Ｏ−（ＥＯ）ｎ１−Ｈ  ・・・（ｃ１）【選択図】なし【特許請求の範囲】
【請求項１】
（Ａ）成分：α−オレフィンスルホン酸又はその塩と、
（Ｂ）成分：アミンオキシド型界面活性剤と、
（Ｃ）成分：下記一般式（ｃ１）で表される化合物と、
Ｒ１−ＣＯ−ＮＨ−ＣＨ２ＣＨ２Ｏ−（ＥＯ）ｎ１−Ｈ  ・・・（ｃ１）
［式（ｃ１）中、Ｒ１は炭素数６〜２４の直鎖状若しくは分岐鎖状のアルキル基又は炭素数６〜２４の直鎖状若しくは分岐鎖状のアルケニル基を表し、ＣＯの炭素原子に結合する炭素原子は１級炭素又は２級炭素である。ＥＯはオキシエチレン基を表し、ｎ１はオキシエチレン基の平均付加モル数を表し、０〜５の数である。］
（Ｄ）成分：前記（Ａ）成分以外のアニオン界面活性剤とを含有し、
（（Ａ）成分＋（Ｄ）成分）／（Ｂ）成分で表される質量比が０．６〜１．８であり、かつ（Ａ）成分／（Ｄ）成分で表される質量比が１．５〜１３．０である、台所用の液体洗浄剤組成物。
【請求項２】
前記（Ｄ）成分が直鎖アルキルベンゼンスルホン酸塩を含む、請求項１に記載の台所用の液体洗浄剤組成物。
【請求項３】
（（Ａ）成分＋（Ｂ）成分＋（Ｄ）成分）／（Ｃ）成分で表される質量比が１．５〜７．２である、請求項１又は２に記載の台所用の液体洗浄剤組成物。
【発明の詳細な説明】
【技術分野】
【０００１】
本発明は、台所用の液体洗浄剤組成物に関する。
【背景技術】
【０００２】
近年、消費者の環境や経済性に対する意識が高まるなか、台所用の液体洗浄剤組成物（以下、液体洗浄剤ということもある）においては、食器や調理器具等を洗浄する際、その使用量を減らしても優れた洗浄効果が得られる（すなわち、洗浄力が高い）液体洗浄剤組成物が求められている。
【０００３】
食器や調理器具等の洗浄は、通常、液体洗浄剤を食器洗い用のスポンジに注ぎ足しながら行われている。
液体洗浄剤をスポンジに注ぎ足すタイミングとしては、「スポンジを揉んだ際に視認できる泡量が少なくなったとき」、が挙げられる。
従来の液体洗浄剤においては、洗い始めてから洗い終わるまでを通じて泡量が少ない、又は洗い始めは泡量が多くてもその後は泡質が水っぽくなっていき、泡量の多い状態が続かないため、液体洗浄剤をスポンジに注ぎ足す回数が多い傾向にある。そのため、油汚れ等を除去するのに本来必要な使用量を超えて、液体洗浄剤が過剰に使用されている。従って、台所用の液体洗浄剤には、油汚れ等に対する高い洗浄力に加えて、洗浄中の泡持続性（洗い始めてから洗い終わるまでの泡量の持続性）を高めることが重要である。
一方で、液体洗浄剤を塗布したスポンジで食器や調理器具等を洗浄する場合、洗浄剤が手に直接に接触することによって手荒れを生じることがある。そのため、手荒れを軽減できる技術の開発も望まれている。
【０００４】
こうした問題に対し、特許文献１には、α−オレフィンスルホン酸、アミンオキシド型界面活性剤、及びヤシ油脂肪酸ジエタノールアミドを含有し、かつα−オレフィンスルホン酸とアミンオキシド型界面活性剤とを特定の比率で組み合わせた洗浄剤組成物が提案されている。特許文献１の洗浄剤は高い洗浄力を有し、かつ手荒れ防止性にも優れる。
また、特許文献２には、α−オレフィンスルホン酸、アミンオキシド型界面活性剤、ポリオキシエチレンラウリン酸モノエタノールアミド、分岐型のポリオキシエチレンアルキルエーテル、及び乳酸ナトリウムを特定の比率で含有する液体洗浄剤組成物が提案されている。特許文献２によれば、洗浄力及び泡量の持続性に優れ、さらに洗浄後の手肌の乾燥感を低減できる。
【先行技術文献】
【特許文献】
【０００５】
【特許文献１】特開昭５６−５５４９８号公報
【特許文献２】特開２０１１−１５３２３３号公報
【発明の概要】
【発明が解決しようとする課題】
【０００６】
特許文献１の洗浄剤組成物は、洗浄中の泡持続性が十分でない。また、特許文献２の液体洗浄剤組成物は、洗浄力と手荒れ防止性が十分でない。
そこで本発明は、油汚れ等に対する洗浄力に優れ、洗浄中の泡持続性が良好であり、かつ手荒れ防止性にも優れる台所用の液体洗浄剤組成物を目的とする。
【課題を解決するための手段】
【０００７】
本発明は以下の態様を有する。
［１］（Ａ）成分：α−オレフィンスルホン酸又はその塩と、
（Ｂ）成分：アミンオキシド型界面活性剤と、
（Ｃ）成分：下記一般式（ｃ１）で表される化合物と、
Ｒ１−ＣＯ−ＮＨ−ＣＨ２ＣＨ２Ｏ−（ＥＯ）ｎ１−Ｈ  ・・・（ｃ１）
［式（ｃ１）中、Ｒ１は炭素数６〜２４の直鎖状若しくは分岐鎖状のアルキル基又は炭素数６〜２４の直鎖状若しくは分岐鎖状のアルケニル基を表し、ＣＯの炭素原子に結合する炭素原子は１級炭素又は２級炭素である。ＥＯはオキシエチレン基を表し、ｎ１はオキシエチレン基の平均付加モル数を表し、０〜５の数である。］
（Ｄ）成分：前記（Ａ）成分以外のアニオン界面活性剤とを含有し、
（（Ａ）成分＋（Ｄ）成分）／（Ｂ）成分で表される質量比が０．６〜１．８であり、かつ（Ａ）成分／（Ｄ）成分で表される質量比が１．５〜１３．０である、台所用の液体洗浄剤組成物。
［２］前記（Ｄ）成分が直鎖アルキルベンゼンスルホン酸塩を含む、［１］に記載の台所用の液体洗浄剤組成物。
［３］（（Ａ）成分＋（Ｂ）成分＋（Ｄ）成分）／（Ｃ）成分で表される質量比が１．５〜７．２である、［１］又は［２］に記載の台所用の液体洗浄剤組成物。
［４］さらに水を含む、［１］〜［３］のいずれか一項に記載の台所用の液体洗浄剤組成物。
【発明の効果】
【０００８】
本発明の台所用の液体洗浄剤組成物によれば、油汚れ等に対する洗浄力に優れ、洗浄中の泡持続性が良好であり、かつ手荒れ防止性にも優れる。
【発明を実施するための形態】
【０００９】
（台所用の液体洗浄剤組成物）
本発明の台所用の液体洗浄剤組成物は、（Ａ）〜（Ｄ）成分を含有する組成物である。
【００１０】
＜（Ａ）成分＞
（Ａ）成分は、α−オレフィンスルホン酸又はその塩（以下、「ＡＯＳ」と記載することもある）である。（Ａ）成分を含むことにより、液体洗浄剤の泡持続性が良好となる。
ＡＯＳのアルキル基の炭素数は１０〜１８が好ましく、１２〜１４がより好ましい。
（Ａ）成分は、１種単独で用いられてもよく、炭素数の異なる２種以上のＡＯＳの混合物であってもよい。
また、（Ａ）成分は酸の形であっても良く、塩を形成していてもよい。塩としては、ナトリウム塩、カリウム塩等のアルカリ金属塩が好ましい。
（Ａ）成分は市販品を用いてもよい。市販品としては、例えば、ライオン・スペシャリティ・ケミカルズ株式会社製の「リポラン（登録商標）ＬＢ−４４０」（商品名）等が挙げられる。
【００１１】
液体洗浄剤中の（Ａ）成分の含有量は、液体洗浄剤の総質量に対して、１．０〜１５．０質量％であることが好ましく、３．０〜１２．０質量％であることがより好ましく、４．０〜７．０質量％であることが特に好ましい。液体洗浄剤中の（Ａ）成分の含有量が、上記下限値以上であれば、油汚れに対する洗浄力と、洗浄中の泡持続性がより良好となりやすい。一方、上記上限値以下であれば、手荒れ防止性がより良好となりやすい。
【００１２】
＜（Ｂ）成分＞
（Ｂ）成分は、アミンオキシド型界面活性剤である。（Ｂ）成分を含むことにより、液体洗浄剤の洗浄力と手荒れ防止性が良好となる。
（Ｂ）成分は、下記一般式（ｂ１）で表される化合物を含むことが好ましい。下記一般式（ｂ１）で表される化合物は半極性界面活性剤である。本明細書において、半極性界面活性剤とは、半極性結合（無極性結合及び極性結合の中間の性質を有する結合）を有する界面活性剤のことであり、半極性界面活性剤が溶解する溶液又は分散する分散系のｐＨにより、カチオン性、アニオン性、又は両極性を示すものをいう。
Ｒ１１−（Ａ）Ｘ−Ｎ（−Ｒ１２）（−Ｒ１３）→Ｏ  ・・・（ｂ１）
［式（ｂ１）中、Ｒ１１は炭素数８〜１８の直鎖状若しくは分岐鎖状のアルキル基又は炭素数８〜１８の直鎖状若しくは分岐鎖状のアルケニル基を表す。Ｒ１２及びＲ１３は、それぞれ独立して、炭素数１〜３のアルキル基又はヒドロキシアルキル基を表す。Ａは−Ｃ＝Ｏ（−ＮＨ−Ｒ１４）−を表し、Ｒ１４は炭素数１〜４のアルキレン基を表す。ｘは０〜１の数である。］
一般式（ｂ１）において、Ｒ１１は、炭素数８〜１８の直鎖状若しくは分岐鎖状のアルキル基又は炭素数８〜１８の直鎖状若しくは分岐鎖状のアルケニル基であり、炭素数８〜１８の直鎖状若しくは分岐鎖状のアルキル基が好ましい。Ｒ１１は、炭素数１０〜１４の直鎖状若しくは分岐鎖状のアルキル基がより好ましい。
Ｒ１２及びＲ１３は、それぞれ独立して、炭素数１〜３のアルキル基又はヒドロキシアルキル基であり、炭素数１〜３のアルキル基が好ましく、メチル基がより好ましく、Ｒ１２及びＲ１３がいずれもメチル基であることが特に好ましい。
Ａは−Ｃ＝Ｏ（−ＮＨ−Ｒ１４）−である。Ｒ１４は、炭素数１〜４のアルキレン基であり、プロピル基がより好ましい。ｘは０または１の数であり、０が好ましい。
一般式（ｂ１）で表される化合物として、ラウリルジメチルアミンオキシド、ヤシアルキルジメチルアミンオキシド、ラウリルジエチルアミンオキシド、ラウリン酸アミドプロピルジメチルアミンオキシド等が挙げられる。なかでも、油汚れに対する洗浄力がより良好となる点から、ラウリルジメチルアミンオキシドが好ましい。これらは、１種単独で用いられてもよく、２種以上が組み合わされて用いられてもよい。
ラウリルジメチルアミンオキシドとしては市販品を用いることができ、例えばライオン・スペシャリティ・ケミカルズ株式会社製の「カデナックス（登録商標）ＤＭ１２Ｄ−Ｗ（Ｃ）」（商品名）等が挙げられる。
（Ｂ）成分は、一般式（ｂ１）で表される化合物以外のその他のアミンオキシド型界面活性剤を含有してもよい。
【００１３】
液体洗浄剤中の（Ｂ）成分の含有量は、液体洗浄剤の総質量に対して、０．５〜１０．０質量％が好ましく、２．０〜９．０質量％がより好まく、４．０〜８．０質量％が特に好ましい。（Ｂ）成分の含有量が上記下限値以上であれば、洗浄力と手荒れ防止性がより良好となりやすい。また、上記上限値以下であれば、洗浄中の泡持続性がより良好となりやすい。
【００１４】
＜（Ｃ）成分＞
本発明における（Ｃ）成分は、下記一般式（ｃ１）で表される化合物である。（Ｃ）成分は、いわゆる脂肪酸モノエタノールアミド型界面活性剤である。本発明の台所用の液体洗浄剤が（Ｃ）成分を含むことにより、液体洗浄剤の泡持続性が良好となる。
Ｒ１−ＣＯ−ＮＨ−ＣＨ２ＣＨ２Ｏ−（ＥＯ）ｎ１−Ｈ  ・・・（ｃ１）
［式（ｃ１）中、Ｒ１は炭素数６〜２４の直鎖状若しくは分岐鎖状のアルキル基又は炭素数６〜２４の直鎖状若しくは分岐鎖状のアルケニル基を表し、ＣＯの炭素原子に結合する炭素原子は１級炭素又は２級炭素である。ＥＯはオキシエチレン基を表し、ｎ１はオキシエチレン基の平均付加モル数を表し、０〜５の数である。］
一般式（ｃ１）において、Ｒ１の炭素数は６〜２４であり、８〜１４が好ましい。
Ｒ１は、直鎖状でもよいし、分岐鎖状でもよい。
Ｒ１において、ＣＯの炭素原子に結合する炭素原子が１級炭素又は２級炭素である。ＣＯの炭素原子に結合するＲ１の炭素原子は、１級炭素であることが好ましい。
ｎ１はオキシエチレン基の平均付加モル数を表し、０〜５の数であり、１．５〜３の数が好ましい。ｎ１がこのような範囲にあると、特に洗浄力と泡持続性が向上する。ｎ１が０の時、（Ｃ）成分は脂肪酸エタノールアミドである。ｎ１が０超の時、（Ｃ）成分は（ポリ）オキシエチレン脂肪酸モノエタノールアミドである。
式（ｃ１）で表される化合物としては、ラウリン酸モノエタノールアミド（ｎ１が０）、ポリオキシエチレンヤシ油脂肪酸モノエタノールアミド（ｎ１が１．５）、ポリオキシエチレンヤシ油脂肪酸モノエタノールアミド（ｎ１が２）、ポリオキシエチレンヤシ油脂肪酸モノエタノ−ルアミド（ｎ１が３）、ポリオキシエチレンヤシ油脂肪酸モノエタノールアミド（ｎ１が５）、ポリオキシエチレンラウリン酸モノエタノールアミド（ｎ１が１．５）、ポリオキシエチレンラウリン酸モノエタノールアミド（ｎ１が２）、ポリオキシエチレンラウリン酸モノエタノールアミド（ｎ１が３）、ポリオキシエチレンラウリン酸モノエタノールアミド（ｎ１が５）、ポリオキシエチレンミリスチン酸モノエタノールアミド（ｎ１が１．５）、及び、ポリオキシエチレンオレイン酸モノエタノールアミド（ｎ１が１．５）等が挙げられる。これら化合物は、１種単独で用いられてもよく、２種以上が組み合わされて用いられてもよい。これらの中でも、特に洗浄力と泡持続性のバランスがより良好となる点から、ポリオキシエチレンラウリン酸モノエタノールアミド（ｎ１が１．５〜３のもの）が好ましい。
【００１５】
液体洗浄剤中の（Ｃ）成分の含有量は、液体洗浄剤の総質量に対して、０．５〜１０．０質量％が好ましく、１．５〜８．５質量％がより好まく、２．０〜７．０質量％が特に好ましい。（Ｃ）成分の含有量が上記下限値以上であれば、油汚れに対する洗浄力がより良好となりやすい。上記上限値以下であれば、泡持続性と手荒れ防止性がより良好となりやすい。
【００１６】
＜（Ｄ）成分＞
本発明における（Ｄ）成分は、前記（Ａ）成分以外のアニオン界面活性剤である。本発明の台所用の液体洗浄剤が（Ｄ）成分を含むことにより、液体洗浄剤の泡持続性が良好となる。
（Ｄ）成分としては、例えば、直鎖状のアルキルベンゼンスルホン酸塩、アルキル硫酸エステル塩、分岐鎖状のアルキル硫酸エステル塩、アルキルエーテル硫酸エステル塩、アルケニルエーテル硫酸エステル塩、アルカンスルホン酸塩、α−スルホ脂肪酸エステル塩等が挙げられる。塩の形態としては、ナトリウム塩、カリウム塩等のアルカリ金属塩、モノエタノールアンモニウム塩、ジエタノールアンモニウム塩等のアルカノールアンモニウム塩等が挙げられる。
【００１７】
（Ｄ）成分として具体的には、炭素数１０〜１５の直鎖アルキルベンゼンスルホン酸塩、ポリオキシエチレン（１）直鎖アルキル（Ｃ１２、Ｃは炭素数を示す。以下同様。）硫酸エステルナトリウム塩、ポリオキシエチレン（２）直鎖アルキル（Ｃ１２）硫酸エステルナトリウム塩、ポリオキシエチレン（３）直鎖アルキル（Ｃ１２）硫酸エステルナトリウム塩、ポリオキシプロピレン（０．４）ポリオキシエチレン（１．５）直鎖アルキル（Ｃ１２）硫酸エステルナトリウム塩、ポリオキシエチレン（１）直鎖アルキル（Ｃ１２／Ｃ１４＝７５／２５；天然油脂由来）硫酸エステルナトリウム塩、ポリオキシエチレン（２）直鎖アルキル（Ｃ１２／１４＝７５／２５；天然油脂由来）硫酸エステルナトリウム塩、ポリオキシエチレン（４）直鎖アルキル（Ｃ１２／Ｃ１４＝７５／２５；天然油脂由来）硫酸エステルナトリウム塩、炭素数１４〜１７の２級アルカンスルホン酸ナトリウム塩等が挙げられる。
ここで、例えば「ポリオキシエチレン（１）」とは、オキシエチレン基の平均繰り返し数が１（エチレンオキシドの平均付加モル数が１）であることを意味する。「Ｃ１２／Ｃ１４＝７５／２５；天然油脂由来」とは、炭素数１２の直鎖アルキル基を有する化合物と、炭素数１４の直鎖アルキル基を有する化合物との混合物であり、その質量比が７５／２５であること、及び天然油脂由来の直鎖状のアルキル基であることを意味する。
これらの中でも、（Ｄ）成分としては、炭素数１０〜１５の直鎖アルキルベンゼンスルホン酸塩、又はポリオキシエチレン（２）直鎖アルキル（Ｃ１２／１４＝７５／２５；天然油脂由来）硫酸エステルナトリウム塩を含むことが好ましく、炭素数１０〜１５の直鎖アルキルベンゼンスルホン酸塩を含むことがより好ましい。
（Ｄ）成分は、１種単独で用いられてもよく、２種以上が組み合わされて用いられてもよい。
【００１８】
液体洗浄剤中の（Ｄ）成分の含有量は、液体洗浄剤の総質量に対して、０．３〜１０．０質量％であることが好ましく、０．５〜３．０質量％であることがより好ましい。（Ｄ）成分の含有量が、上記下限値以上であれば、油汚れに対する洗浄力がより良好となりやすい。一方、上記上限値以下であれば、手荒れ防止性がより良好となりやすい。
【００１９】
本発明の台所用の液体洗浄剤において、「（（Ａ）成分＋（Ｄ）成分）／（Ｂ）成分で表される質量比」とは、液体洗浄剤中の（Ｂ）成分の含有量に対する、（Ａ）成分と（Ｄ）成分の合計含有量の質量割合を意味する。（（Ａ）成分＋（Ｄ）成分）／（Ｂ）成分で表される質量比は０．６〜１．８であり、０．８〜１．５が好ましく、１．０〜１．３がより好ましい。
（（Ａ）成分＋（Ｄ）成分）／（Ｂ）成分で表される質量比が前記の範囲内であれば、洗浄力、洗浄時の泡持続性、及び手荒れ防止性に優れる液体洗浄剤が得られる。
また、液体洗浄剤中の（Ａ）成分と（Ｄ）成分の合計量（液体洗浄剤中のアニオン界面活性剤の総量）は、液体洗浄剤の総質量に対して、３〜２０質量％が好ましく、５〜１０質量％がより好ましい。（Ａ）成分と（Ｄ）成分の合計量が前記範囲内であれば、洗浄力、洗浄時の泡持続性、及び手荒れ防止性をより両立しやすい。
【００２０】
本発明において、「（Ａ）成分／（Ｄ）成分で表される質量比」とは、液体洗浄剤中の（Ｄ）成分の含有量に対する、（Ａ）成分の含有量の質量割合を意味する。（Ａ）成分／（Ｄ）成分で表される質量比は、０．５〜１３．０であり、２．０〜９．０が好ましく、３．０〜７．０がより好ましい。
（Ａ）成分／（Ｄ）成分で表される質量比が前記の範囲内であれば、洗浄力、洗浄時の泡持続性、及び手荒れ防止性に優れる液体洗浄剤が得られる。
【００２１】
本発明において、「（（Ａ）成分＋（Ｂ）成分＋（Ｄ）成分）／（Ｃ）成分で表される質量比」とは、液体洗浄剤中の（Ｃ）成分の含有量に対する、（Ａ）成分と（Ｂ）成分と（Ｄ）成分の合計含有量の質量割合を意味する。（（Ａ）成分＋（Ｂ）成分＋（Ｄ）成分）／（Ｃ）成分で表される質量比は、１．５〜７．２が好ましく、２．０〜６．０がより好ましく、３．０〜５．０がさらに好ましい。
（（Ａ）成分＋（Ｂ）成分＋（Ｄ）成分）／（Ｃ）成分で表される質量比が前記の範囲内であれば、洗浄力、洗浄時の泡持続性、及び手荒れ防止性により優れる液体洗浄剤が得られやすくなる。
【００２２】
本発明の台所用の液体洗浄剤は、粘度（Ｂ型粘度計を用いて、測定温度２５℃、回転数６０ｒｐｍの条件で６０秒後に測定した時の値）が５０〜１５０ｍＰａ・ｓであることが好ましい。粘度が上記範囲内であれば、容器からの吐出性、及び使用性（皿やスポンジ等の被洗物への適用のし易さ等）がより良好となりやすい。
【００２３】
本発明の台所用の液体洗浄剤は、液体洗浄剤の調製のしやすさ、及び使用する際の水への溶解性等の観点から、溶媒として水を含有することが好ましい。
液体洗浄剤中の水の含有量は、液体洗浄剤の総質量に対して８５質量％以下が好ましく、４０〜８５質量％がより好ましく、６０〜７５質量％がさらに好ましい。水の含有量が、上記下限値以上であれば、液体洗浄剤のゲル化が抑制され、経時に伴う液体洗浄剤の液安定性がより良好となる。一方、上記上限値以下であれば、（Ａ）〜（Ｄ）成分の配合バランスがとりやすくなる。また、液粘度が低くなりすぎず、使用性が良好となる。
【００２４】
＜任意成分＞
本発明の台所用の液体洗浄剤は、必要に応じて、本発明の効果を損なわない範囲で、上記（Ａ）〜（Ｄ）成分以外の任意成分を含有することができる。
任意成分としては、通常、台所用の液体洗浄剤に配合される成分が挙げられ、例えば防腐剤、ハイドロトロープ剤、上記の（Ａ）〜（Ｄ）成分以外の界面活性剤（任意界面活性剤）、ｐＨ調整剤、除菌成分、漂白成分、キレート剤、高分子化合物、色素、香料などが挙げられる。
【００２５】
［ハイドロトロープ剤］
ハイドロトロープ剤としては、例えば、炭素数２〜４の１価アルコール、炭素数４〜１０のグリセリルエーテル、トルエンスルホン酸、トルエンスルホン酸塩、クメンスルホン酸、クメンスルホン酸塩、安息香酸、安息香酸塩等が挙げられる。
炭素数２〜４の１価アルコールとしては、エタノール、ｎ−プロパノール、イソプロパノール、ｎ−ブタノール、ｓｅｃ−ブタノール、ｔｅｒｔ−ブタノール等が挙げられる。
炭素数４〜１０のグリセリルエーテルとしては、グリセリン、ヘキシルグリセリルエーテル等が挙げられる。
これらの中でも、液体洗浄剤中の（Ａ）〜（Ｄ）成分の溶解効果、及び使用感の点から、炭素数２〜４の１価アルコール、トルエンスルホン酸又はその塩が好ましく、エタノール、パラトルエンスルホン酸塩がより好ましい。ハイドロトロープ剤は、１種単独で用いられてもよく、２種以上が組み合わされて用いられてもよい。
ハイドロトロープ剤を用いる場合、液体洗浄剤中のハイドロトロープ剤の含有量は、液体洗浄剤の総質量に対して、１〜３０質量％であることが好ましく、４〜２０質量％であることがより好ましい。
【００２６】
［任意界面活性剤］
任意界面活性剤としては、（Ｃ）成分以外のノニオン界面活性剤、カチオン界面活性剤等が挙げられる。
（Ｃ）成分以外のノニオン界面活性剤としては、本発明の効果を有する限り特に限定されず、例えば、ポリオキシアルキレン付加型ノニオン界面活性剤、アルキルグリコシド、ソルビタン脂肪酸エステル等が挙げられる。これらの中でも、ポリオキシアルキレン付加型ノニオン界面活性剤が好ましい。ポリオキシアルキレン付加型ノニオン界面活性剤の中でも、ポリオキシアルキレンアルキルエーテルがより好ましく、下記一般式（Ｉ）で表される化合物がさらに好ましい。
Ｒ２５−Ｏ−（Ｒ２６Ｏ）ｙ−Ｈ  ・・・（Ｉ）
［式（Ｉ）中、Ｒ２５は、炭素数１０〜１８の直鎖状又は分岐鎖状の炭化水素基を表し、Ｒ２６Ｏは、炭素数１〜３のオキシアルキレン基を表す。ｙは、Ｒ２６Ｏの平均繰り返し数を表し、１〜２０の数である。］
式（Ｉ）において、Ｒ２５は、炭素数が１０〜１８の直鎖状の炭化水素基が好ましい。また、Ｒ２６Ｏは、オキシエチレン基、又はオキシプロピレン基が好ましい。ｙは４〜２０の数が好ましく、８〜２０の数がより好ましく、８〜１６の数が特に好ましい。
式（Ｉ）で表される化合物の中でも、Ｒ２５が炭素数１０〜１８の直鎖状のアルキル基であり、Ｒ２６Ｏがオキシエチレン基、又はオキシプロピレン基であり、ｙが８〜２０の数であるポリオキシアルキレンアルキルエーテルが好ましい。
【００２７】
カチオン界面活性剤としては、本発明の効果を有する限り特に限定されず公知のものを使用することができる。具体的には、ジデシルジメチルアンモニウムクロライド、ジデシルジメチルアンモニウムメトサルフェート、ジステアリルジメチルアンモニウムクロライド、ジオクチルジメチルアンモニウムクロライド、ジステアリルジヒドロキシエチルアンモニウムクロライド、ジ牛脂アルキルジメチルアンモニウムクロライド、ジ（ステアロイルオキシエチル）ジメチルアンモニウムクロライド、ジ（オレオイルオキシエチル）ジメチルアンモニウムクロライド、ジ（パルミトイルオキシエチル）ジメチルアンモニウムメトサルフェート、ジ（ステアロイルオキシイソプロピル）ジメチルアンモニウムクロライド、ジ（オレオイルオキシイソプロピル）ジメチルアンモニウムクロライド、ジ（オレオイルオキシブチル）ジメチルアンモニウムクロライド、ジ（ステアロイルオキシエチル）メチルヒドロキシエチルアンモニウムメトサルフェート、トリ（ステアロイルオキシエチル）メチルメトサルフェート等が挙げられる。なお、「牛脂アルキル」基の炭素数は１４〜１８である。
【００２８】
本発明の台所用の液体洗浄剤中の界面活性剤の総量（（Ａ）〜（Ｄ）成分と任意界面活性剤の合計量）は、液体洗浄剤の総質量に対して、１０〜５０質量％であることが好ましく、１５〜３５質量％であることがより好ましい。
なお、任意界面活性剤は、１種単独で用いられてもよく、２種以上が組み合わされて用いられてもよい。
【００２９】
［除菌成分］
除菌成分としては、硫酸亜鉛、酸化亜鉛、水酸化亜鉛などの亜鉛化合物が好適なものとして挙げられ、この中でも硫酸亜鉛、酸化亜鉛がより好ましく、硫酸亜鉛が特に好ましい。除菌成分は、１種単独で用いられてもよく、２種以上が組み合わされて用いられてもよい。
液体洗浄剤中の除菌成分の含有量は、液体洗浄剤の総質量に対して、０．０１〜０．５質量％であることが好ましい。除菌成分の含有量が前記範囲内であれば、除菌効果が得られやすくなり、かつ液安定性が確保されやすくなる。
【００３０】
［キレート剤］
キレート剤としては、グリコール酸、クエン酸、グルコン酸等のヒドロキシカルボン酸；エチレンジアミン四酢酸、ヒドロキシエチルエチレンジアミン三酢酸等のアミノカルボン酸；ポリアクリル酸、アクリル酸／マレイン酸等の共重合体等が挙げられる。
液体洗浄剤中のキレート成分の含有量は、液体洗浄剤の総質量に対して、０．１〜１質量％であることが好ましい。
【００３１】
［ｐＨ調整剤］
ｐＨ調整剤としては、塩酸、硫酸、リン酸、グリコール酸、クエン酸、水酸化ナトリウム、水酸化カリウム、モノエタノールアミン、ジエタノールアミン、トリエタノールアミン等が挙げられる。ｐＨ調整剤は、１種単独で用いられてもよく、２種以上が組み合わされて用いられてもよい。
本発明の台所用の液体洗浄剤の２５℃におけるｐＨは、６〜９であることが好ましく、６〜８であることがより好ましい。本発明において、液体洗浄剤（２５℃に調温）のｐＨは、ｐＨメーター（製品名：ＨＭ−３０Ｇ、東亜ディーケーケー株式会社製）を用い、ＪＩＳ  Ｋ３３６２−１９９８に準拠した方法により測定される値を指す。
【００３２】
（製造方法）
本発明の台所用の液体洗浄剤は、例えば、溶媒である水に、（Ａ）〜（Ｄ）成分及び必要に応じてその他の成分を分散することで得られる。具体的には、水に各成分を添加して攪拌、混合することによって製造することができる。
【００３３】
（使用方法）
本発明の台所用の液体洗浄剤の使用方法としては、例えば、液体洗浄剤を単独でスポンジ等に適量注ぎ、このスポンジで食器や調理器具等を洗浄する方法等が挙げられる。本発明の台所用の液体洗浄剤は高い洗浄力を有し、かつ泡持続性にも優れているため、少ない使用量で食器や調理器具等を洗浄することが可能である。
【００３４】
本発明の台所用の液体洗浄剤は、（Ａ）成分（ＡＯＳ）を（Ｄ）成分（（Ａ）成分以外のアニオン界面活性剤）と組み合わせ、かつ（Ａ）成分／（Ｄ）成分で表される質量比と、（（Ａ）成分＋（Ｄ）成分）／（Ｂ）成分で表される質量比とを特定の範囲に制御することで、洗浄中の泡持続性を向上させることができる。
本発明の台所用の液体洗浄剤は、（Ａ）〜（Ｄ）成分と、水とを含み、（Ｃ）成分が、ポリオキシエチレンラウリン酸モノエタノールアミド、及びポリオキシエチレンヤシ油脂肪酸モノエタノールアミドから選択される少なくとも１種の界面活性剤を含み、（Ｄ）成分が、ポリオキシエチレン（２）直鎖アルキル（Ｃ１２／１４＝７５／２５；天然油脂由来）硫酸エステルナトリウム塩、及び直鎖アルキルベンゼンスルホン酸塩から選択される少なくとも１種のアニオン界面活性剤を含むことが好ましい。また、（（Ａ）成分＋（Ｄ）成分）／（Ｂ）成分で表される質量比が０．６〜１．８であり、（Ａ）成分／（Ｂ）成分で表される質量比が、２．０〜９．０であることが好ましい。また、（（Ａ）成分＋（Ｂ）成分＋（Ｃ）成分）／（Ｄ）成分で表される質量比が、２．０〜６．０であることが好ましい。
【実施例】
【００３５】
以下、実施例を示して本発明を詳細に説明するが、本発明は以下の記載によって限定されるものではない。なお、「％」は特に断りがない限り「質量％」を示す。
【００３６】
（使用原料）
表１〜３の略号は以下を表す。
＜（Ａ）成分＞
Ａ−１：アルキル基の炭素数が１４であるα−オレフィンスルホン酸ナトリウム（ＡＯＳ）（商品名：リポランＬＢ−４４０、ライオン・スペシャリティ・ケミカルズ株式会社製）。
【００３７】
＜（Ｂ）成分＞
Ｂ−１：ラウリルジメチルアミンオキシド（ＡＸ）（商品名：カデナックスＤＭ１２Ｄ−Ｗ（Ｃ）、ライオン・スペシャリティ・ケミカルズ株式会社製）（上記一般式（ｂ１）において、Ｒ１１が炭素数１２の直鎖状のアルキル基であり、Ｒ１２とＲ１３がメチル基であり、ｘが０である化合物）。
【００３８】
＜（Ｃ）成分＞
Ｃ−１：ポリオキシエチレンラウリン酸モノエタノールアミド（商品名：アミゼット（登録商標）２Ｌ−Ｙ、川研ファインケミカル株式会社製）（上記一般式（ｃ１）において、Ｒ１が炭素数１１の直鎖状のアルキル基であり、ｎ１が２の化合物）。
Ｃ−２：ポリオキシエチレンヤシ油脂肪酸モノエタノールアミド（商品名：アミゼット５Ｃ、川研ファインケミカル株式会社製）（上記一般式（ｃ１）において、Ｒ１がヤシ油由来のアルキル基であり、ｎ１が５の化合物）。
【００３９】
＜（Ｄ）成分＞
Ｄ−１：ポリオキシエチレン（２）直鎖アルキル（Ｃ１２／１４＝７５／２５；天然油脂由来）硫酸エステルナトリウム塩（ＡＥＳ）（商品名：シノリン（登録商標）ＳＰＥ−１２５０、新日本理化株式会社製）。
Ｄ−２：アルキル基の炭素数が１０〜１５である直鎖アルキルベンゼンスルホン酸ナトリウム（ＬＡＳ）（テイカパワー（登録商標）Ｌ１２４（商品名、テイカ株式会社製）を水酸化ナトリウムで中和したもの）。
【００４０】
＜その他＞
Ｂ’−１：ラウリン酸アミドプロピルジメチルアミノ酢酸ベタイン（ＬＰＢ）（商品名：エナジコール（登録商標）Ｌ−３０Ｂ、ライオン・スペシャリティ・ケミカルズ株式会社製）。
Ｃ’−１：ヤシ油脂肪酸ジエタノールアミド（ＣＤＥ）（商品名：アミゾール（登録商標）ＣＤＥ−Ｇ、川研ファインケミカル株式会社製）。
【００４１】
＜共通成分＞
ＡＥ：ポリオキシエチレンラウリルエーテル（商品名：ＬＭＡＯ−９０、ライオンケミカル株式会社製）（上記一般式（Ｉ）において、Ｒ２５が炭素数１２〜１４の直鎖状のアルキル基であり、Ｒ２６Ｏがオキシエチレン基であり、ｙが１５の化合物）。
ＳＢ：安息香酸ナトリウム、関東化学株式会社製。
ｐ−ＴＳＨ：パラトルエンスルホン酸、関東化学株式会社製。
ＥｔＯＨ：エタノール、関東化学株式会社製。
ＰＥＧ：ポリエチレングリコール（平均分子量１０００）（商品名：ＰＥＧ＃１０００、ライオン・スペシャリティ・ケミカルズ株式会社製）。
ＣＡ：クエン酸（商品名：精製クエン酸（無水）、扶桑化学工業株式会社製）。
ＺｎＳＯ４：硫酸亜鉛７水和物、純正化学株式会社製。
防腐剤（ｉ）：１，２−ベンズイソチアゾリン−３−オン（商品名：ＰＲＯＸＥＬ（登録商標）  ＸＬ２、アーチケミカルズ社製）。
防腐剤（ｉｉ）：２−メチル−４−イソチアゾリン−３−オン（商品名：ネオロン（登録商標）  Ｍ−１０、ローム・アンド・ハース社製）。
ゼラチン：ＦＧＳ−１００、株式会社ニッピ製。
色素１：黄色２０３号。
色素２：青色１号。
香料
ｐＨ調整剤：水酸化ナトリウム、関東化学株式会社製。
溶媒：水、蒸留水。
【００４２】
＜共通成分（Ｘ）の配合組成＞
ＳＢ：１．５質量％
ｐ−ＴＳＨ：２．０質量％
ＥｔＯＨ：５．０質量％
ＣＡ：０．２６質量％
ＺｎＳＯ４：０．２５質量％
香料：０．３質量％
ｐＨ調整剤：適量
水：バランス
【００４３】
＜共通成分（Ｙ）の配合組成＞
ＡＥ：０．５質量％
ＳＢ：１．７質量％
ｐ−ＴＳＨ：０．８質量％
ＥｔＯＨ：４．０質量％
ＰＥＧ：０．７質量％
ＣＡ：０．２６質量％
ＺｎＳＯ４：０．２５質量％
防腐剤（ｉ）：０．００２質量％
防腐剤（ｉｉ）：０．００２質量％
ゼラチン：０．０８質量％
香料：０．３質量％
ｐＨ調整剤：適量
水：バランス
【００４４】
＜共通成分（Ｚ）の配合組成＞
ＳＢ：２．５質量％
ｐ−ＴＳＨ：０．４質量％
ＥｔＯＨ：３．０質量％
ＣＡ：０．２５質量％
防腐剤（ｉ）：０．００１質量％
防腐剤（ｉｉ）：０．００１質量％
色素１：０．０００１質量％
色素２：０．００００１質量％
香料：０．２質量％
ｐＨ調整剤：適量
水：バランス
【００４５】
なお、共通成分の配合組成の「質量％」は、液体洗浄剤の総質量に対する各成分の質量割合を意味する。また、水の含有量「バランス」は、液体洗浄剤を全体で１００質量％とするのに必要な量である。また、ｐＨ調整剤の含有量「適量」は、液体洗浄剤を表中のｐＨにするのに要した量である。
また、表中の「（Ａ＋Ｄ）／Ｂ」は液体洗浄剤中の（Ｂ）成分の含有量に対する、（Ａ）成分と（Ｄ）成分の合計含有量の質量割合を意味する。また、「Ａ／Ｄ」は、液体洗浄剤中の（Ｄ）成分の含有量に対する、（Ａ）成分の含有量の質量割合を意味する。また、「（Ａ＋Ｂ＋Ｄ）／Ｃ」は、液体洗浄剤中の（Ｃ）成分の含有量に対する、（Ａ）成分と（Ｂ）成分と（Ｄ）成分の合計含有量の質量割合を意味する。
【００４６】
（実施例１〜２１、比較例１〜８）
表１〜３に示す組成に従い、以下に示す製造方法（表中に配合量が記載されていない成分は、配合しない）により、各例の液体洗浄剤１０００ｇをそれぞれ調製した。表中の配合量の単位は質量％であり、いずれの成分も純分換算量を示す。
【００４７】
［液体洗浄剤の製造方法］
まず、１Ｌビーカーに、（Ａ）成分、（Ｄ）成分、及びエタノールを入れ、マグネチックスターラー（製品名：Ｆ−６０６Ｎ、Ｆｉｎｅ社製）で充分に撹拌処理を行った。続いて、（Ｂ）成分、（Ｃ）成分、及びエタノール以外の共通成分をビーカーに追加してさらに攪拌処理を行った。攪拌処理後、２５℃でのｐＨが６〜８の範囲になるように、必要に応じてｐＨ調整剤を適量添加した。その後、全体量が１００質量％になるように蒸留水を入れてさらに撹拌処理を行って液体洗浄剤を得た。
上記のｐＨは、液体洗浄剤を２５℃に調温した後、ガラス電極式ｐＨメーター（製品名：ＨＭ−３０Ｇ、東亜ディーケーケー株式会社製）を用い、ガラス電極を組成物に直接に浸漬し、１分間経過後に示す値を測定したものである。この２５℃のｐＨを表中に示した。
【００４８】
＜評価方法＞
各例の液体洗浄剤について、以下に示す評価方法によって、洗浄力、洗浄中の泡持続性、手荒れ防止性をそれぞれ評価した。
［油汚れに対する洗浄力］
（油汚れの調製）
油汚れとして、固体脂である牛脂（和光純薬工業株式会社製）とスダンＩＶ（関東化学株式会社製）とを混合して、着色した牛脂（着色牛脂）を調製した。着色牛脂におけるスダンＩＶ濃度は１質量％に設定した。
（汚垢モデルの作製）
前記着色牛脂１ｇを、縦１０ｃｍ×横１５ｃｍ×高さ５ｃｍのプラスチック製の容器（商品名：ネオキーパー、岩崎工業株式会社製）の内側全面に均一になるように塗布し、これを汚垢モデルとした。
（洗浄試験）
縦１１．５ｃｍ×横７．５ｃｍ×高さ３ｃｍの食器洗い用スポンジ（商品名：スコッチブライト（登録商標）、住友スリーエム株式会社製）に、水道水３８ｇと各例の液体洗浄剤２ｇとをそれぞれ採り、１０回手で揉んだ後、擦り洗いを行った。具体的には、水道水と液体洗浄剤とを含んだスポンジで、上記汚垢モデルの内側底面を１０回、内側側面を１回、内側の四隅を５回擦った後、水道水で濯ぐ操作を施した。
擦り洗いの後、容器内側綿の油汚れの落ち具合を、下記の評価基準（４段階評価）に沿って評価した。下記評価基準のうち、Ａ及びＢを合格とした。
（評価基準）
Ａ：着色牛脂の汚れ残りが目視で認められず、着色牛油の残留によるヌルつきがない。
Ｂ：着色牛脂の汚れ残りが目視で認められないが、着色牛脂の残留によるヌルつきが僅かにある。
Ｃ：着色牛脂の汚れ残りが目視で認められ、着色牛脂の残留によるヌルつきがある。
Ｄ：着色牛脂の汚れ残りがかなり多く見られる。
【００４９】
［泡持続性の評価］
モデル油汚垢としてオリーブ油１ｇと水５ｇを採取した皿（直径２１ｃｍ）をモデル油汚垢皿とし、このモデル油汚垢皿を３０皿用意した。縦１１．５ｃｍ×横７．５ｃｍ×高さ３ｃｍの食器洗い用スポンジ（商品名：スコッチブライト、住友スリーエム株式会社製）に、２５℃の水道水３８ｇと、液体洗浄剤組成物２ｇとをそれぞれ取り、３回手で揉んだ後の食器洗い用スポンジをモデル油汚垢皿と接触させ、モデル油汚垢と食器洗い用スポンジとを馴染ませた。その後、食器洗い用スポンジをモデル油汚垢皿に押さえつけた状態で円を２周描くように動かして擦り洗いを行った。そして、食器洗い用スポンジには水道水と液体洗浄剤組成物を新たに注ぎ足すことなく、連続してモデル油汚垢皿を擦り洗い続け、擦り洗い後のモデル油汚垢皿の上に泡が残らない（確認できない）状態になるまで洗い続けた。次に、洗浄後に各モデル油汚垢皿に存在している泡を５００ｍＬメスシリンダーに移し取り、その泡量（ｍＬ）を皿１枚毎に測定し、下記の評価基準に基づいて評価した。下記評価基準のうち、Ａ及びＢを合格とした。
（評価基準）
Ａ：洗浄後に１００ｍＬ以上の泡量を確認できた皿枚数が５枚以上であった。
Ｂ：洗浄後に１００ｍＬ以上の泡量を確認できた皿枚数が３〜４枚であった。
Ｃ：洗浄後に１００ｍＬ以上の泡量を確認できた皿枚数が１〜２枚であった。
Ｄ：洗浄後に１００ｍＬ以上の泡量を確認できた皿枚数が０枚であった。
【００５０】
［手荒れ防止性の評価］
洗浄後の手荒れ防止性をタンパク変性率に基づいて評価した。
ＢＳＡ（アルブミン  ウシ血清製  結晶品）２００ｐｐｍ水溶液と、液体洗浄剤の０．２％水溶液とを１：１となるように３０分間接触させ、ＪＡＳＣＯ  Ｊ−７２０  ＳｐｅｃｔｒｏｐｏｌａｒｉｍｅｔｅｒにてＣＤ値（Ｃｉｒｃｕｌａｒ  Ｄｉｃｈｒｏｉｓｍ：円二色性）を測定し、下記の計算式にてタンパク変性率（％）を算出した。なお、コントロールは水道水を使用した。
タンパク変性率（％）＝（コントロールのＣＤ値−液体洗浄剤組成物のＣＤ値）×１００
得られたタンパク変性率を基に、下記評価基準に沿って手荒れ防止性を評価した。下記評価基準のうち、Ａを合格とした。
（評価基準）
Ａ：全く手荒れしない（タンパク変性率が６％未満）。
Ｂ：やや手荒れする（タンパク変性率が６％以上１３％未満）。
Ｃ：かなり手荒れする（タンパク変性率が１３％以上）。
【００５１】
【表１】
2018048275.tif 000002
【００５２】
【表２】
2018048275.tif 000003
【００５３】
【表３】
2018048275.tif 000004
【００５４】
表１〜３に示すように、実施例１〜２１の液体洗浄剤は、洗浄力、泡持続性に優れ、かつ手荒れ防止性にも優れていた。一方、（Ａ）〜（Ｄ）成分のいずれかの成分を含有しない比較例１〜２の液体洗浄剤、（（Ａ）成分＋（Ｄ）成分）／（Ｂ）成分で表される質量比が０．６〜１．８の範囲外である比較例３〜４及び７〜８の液体洗浄剤、及び（Ａ）成分／（Ｄ）成分で表される質量比が１．５〜１３．０の範囲外である比較例５〜６の液体洗浄剤は、洗浄力、泡持続性、又は手荒れ防止性のいずれかが劣っていた。
以上の結果から、本発明の台所用の液体洗浄剤は、油汚れ等に対する洗浄力に優れ、洗浄中の泡持続性が良好であり、かつ手荒れ防止性にも優れることが確認された。